(57)【要約】【課題】足裏を押圧するかしないかを切替えることができるもので、別の履物に対しても使用することができ、且つ取扱の容易な履物用中敷を提供する。【解決手段】第１層部Ｂと第２層部Ｃとに分離可能に形成し、第１層部Ｂの上面部には足裏を押圧するための突起Ｂ１を設け、突起Ｂ１の高さ以上の厚みを有する第２層部Ｃを、分割層Ｄと分割層Ｅとに分離可能に形成し、且つ分割層Ｄと分割層Ｅとの突起Ｂ１に対応する位置に、突起Ｂ１を嵌合可能な貫通穴Ｄ１・Ｄ２を設ける。【選択図】  図５
2004283404.tif 000002
【特許請求の範囲】
【請求項１】
革靴や運動靴等の履物に用いる中敷であって、第１層部と第２層部とに分離可能に形成されており、該第１層部の上面部には足裏を押圧するための突起が設けられ、前記第２層部は少なくとも前記突起の高さ以上の厚みを有し、且つ前記突起に対応する位置に、該突起を嵌合可能な貫通穴が設けられていることを特徴とする履物用中敷。
【請求項２】
前記第２層部が複数層に分離可能に形成されており、これらの分割層の少なくとも一つが、前記突起の高さよりも厚みが薄く形成されていることを特徴とする請求項１記載の履物用中敷。
【請求項３】
革靴や運動靴等の履物に用いる中敷であって、第１層部と第２層部とに分離可能に形成されており、該第１層部の上面部には足裏を押圧するための突起が設けられ、前記第２層部は少なくとも前記突起の高さを越える厚みを有し、且つその底面部の前記突起に対応する位置に、該突起を嵌合可能な凹部が設けられていることを特徴とする履物用中敷。
【請求項４】
前記第２層部が複数層に分離可能に形成されており、これらの分割層の少なくとも一つが、前記突起の高さよりも厚みが薄く形成され、且つ前記突起と対応する位置に貫通穴が設けられていることを特徴とする請求項３記載の履物用中敷。
【発明の詳細な説明】
【０００１】
【発明の属する技術分野】
本発明は、履物を履いた使用者の足裏を押圧することができる突起を備えた履物用中敷に関するものである。
【０００２】
【従来の技術】
従来、履物に用いられている中敷は、主に歩行の際のクッション性を高めたり、履物内部の消臭やムレを防止するためなどに使用されており、その目的に応じたものを使用者が自由に選択できるように、履物本体とは別に設けられているものがある。このような履物用の中敷の一つに、表面に複数の突起を設けているものがある。この中敷は、履物を履いた使用者の足裏を突起で押圧することにより、足の血液の循環を良くしたり、足裏にあるツボに刺激を与え疲労・肩こり・頭痛等を和らげ、健康の促進および維持を図ろうとするものである。このような中敷の例として、次の２つのものを挙げることができる。
【０００３】
例１の中敷は、おもて面の足裏のツボに対応する位置に突起が設けられており、うら面は、おもて面とは別の位置に突起を設けるか、若しくは突起を設けずに扁平なままの状態としているものである。この中敷は、裏表のどちらの面を上にしても使用できるようになっている。つまり、おもて面を上に向けた状態で一定期間使用した後にそのツボを押す必要がなくなれば、両方の中敷を裏返すとともに左右を入れ換えて履物内にそれぞれ装着することで、足裏の別のツボを押すか、若しくは足裏のツボを刺激しないようにすることができるのである（例えば、特許文献１参照）。
【０００４】
例２の中敷は、本体の足裏のツボと対応する位置に小さな貫通穴がそれぞれ設けられており、各貫通穴には着脱可能なツボ押し用の突起部材がそれぞれ取付けられている。そして、これらの突起部材は使用者自身で簡単に着脱できるようになっていて、突起部材の取付位置を変えることで、好みや状態に応じた刺激を足裏に与えることができるようになっている（例えば、特許文献２参照）。
【０００５】
【特許文献１】
特開２００１−２５２１０３号公報（第２、３頁、第１または３図）
【特許文献２】
登録実用新案第３０１０９４４号公報（第２、５〜９頁、第１または２図）
【０００６】
【発明が解決しようとする課題】
しかしながら上述のような従来の中敷ではそれぞれ、次のような問題点がある。
【０００７】
・例１の中敷について
ａ．足裏を刺激する必要がなくなった場合、中敷を裏返して使用することで刺激をなくすことができるが、おもて面には突起が設けられているので、この突起を収めることのできる本底でなければならない。つまり、本底の上面部全体に凹部を形成しているか、または突起に対応する位置に凹部が設けられているものでなければならない。したがって、この中敷は限られた履物にしか使用できないので、汎用性が低いという欠点がある。
【０００８】
・例２の中敷について
ｂ．足裏への刺激が不要な場合、突起部材をすべて取外しておけば、足裏への刺激をなくすことができるが、突起部材は小さい部品であるために紛失しやすく、また外した突起部材を別途保管しておかなければならない手間も要するため、取扱いが面倒という欠点を有している。
【０００９】
本発明はこれらの問題点を解決するためになされたもので、足裏を押圧するかしないかを切替えることができるもので、別の履物に対しても使用することができ、且つ取扱の容易な履物用中敷を提供することを目的とする。
【００１０】
【課題を解決するための手段】
このような課題を解決するための本発明の履物用中敷は、革靴や運動靴等の履物に用いるもので、第１層部と第２層部とに分離可能に形成し、該第１層部の上面部には足裏を押圧すための突起を設け、前記第２層部は少なくとも前記突起の高さ以上の厚みを持たせ、且つ前記突起に対応する位置に、該突起を嵌合可能な貫通穴を設けることを特徴としている。
【００１１】
このような履物用中敷によれば、足裏への刺激が不要な場合には、前記貫通穴が設けられている前記第２層部を、前記突起が設けられている前記第１層部の上に重ねて使用することで、前記突起の刺激をなくすことができる。即ち、第２層部を第１層部の上に重ねると、前記突起が貫通穴に嵌まり込み、しかも前記第２層部の厚みは前記突起の高さ以上であるため、該突起が前記第２層部に隠れた状態となり使用者の足裏を押圧しなくなる。
【００１２】
また、足裏を刺激する場合には、前記第２層部と第１層部とを入替えて使用すれば、該第１層部にある前記突起により足裏を押圧し刺激することができる。
【００１３】
このように、前記第２層部と第１層部とを入替えるだけ、足裏を押圧したり、しなかったりすることができるので、簡単に足裏へ刺激を与えたり、なくしたりすることができるのである。
【００１４】
このような履物用中敷の前記第２層部を複数層に分離可能に形成し、その分割層の少なくとも１つを、前記突起の高さよりも薄い厚みに形成すれば、足裏を押圧する強さを簡単に調節することができるようになる。即ち、前記第１層部の上に、前記突起の高さよりも厚みの薄い前記分割層を重ねておき、残りの前記分割層を下層部の下に重ねて使用すれば、足裏が接する面からの前記突起の突出量が少なくなり、足裏を押す圧力を弱めることができるのである。
【００１５】
したがって、このような前記突起の高さよりも厚みの薄い分割層を複数形成した場合には、前記第１層部の上に重ねる枚数を変えることにより、前記突出量を変化させることができるので、足裏を押圧する力を調節することができる。つまり、足裏に与える刺激の強さを前記分割層の枚数で簡単に調節することができるのである。
【００１６】
また、前記第１層部には、前記貫通穴の代わりにその底面部に、前記第１層部の突起に嵌合可能な凹部を設けておくこともできる。その作用については貫通穴を設けた場合と同じで、前記第２層部と第１層部とを入替えることにより、足裏を押圧したり、しなかったりすることができる。
【００１７】
このような凹部が設けられている前記第２層部もまた、複数層に分離可能に形成することができ、この場合これらの分割層の少なくとも一つを、その厚みが前記突起の高さよりも薄くなるように形成するとともに、前記突起に対応する位置に貫通穴を設けておくのがよい。
【００１８】
そうすれば、前記第１層部の上に突起の高さよりも厚みの薄い前記分割層を重ねておくことで、足裏の接触面からの前記突起の突出量が少なくなるため、足裏を押圧する力が弱くなり、与える刺激を和らげることができるのである。
【００１９】
また、前記突起の高さよりも厚みの薄い前記分割層を複数設けた場合には、前記第１層部の上に重ねる枚数を変えて足裏を押圧する力を変化させることにより、与える刺激の強さを調節することができるのである。
【００２０】
【発明の実施の形態】
本発明にかかる履物用中敷の実施の形態について、図面１〜７を参照しつつ以下に詳しく説明する。
【００２１】
図１は本実施例の履物用中敷Ａを示す側面図（ａ）と、別の実施例の履物用中敷Ａ´を示す側面図（ｂ）である。図２は本実施例の第１層部を示す平面図（ａ）と、その側面図（ｂ）で、図３は第２層部の分割層を示す平面図（ａ）と、その側面図（ｂ）、図４は第２層部の別の分割層を示す平面図（ａ）と、その側面図（ｂ）である。図５は本実施例の使用状態を説明する斜視図（ａ）と、（ａ）におけるｘ−ｘ矢視断面における部分拡大図（ｂ）であり、図６は別の使用状態を説明する斜視図（ａ）と、（ａ）におけるｙ−ｙ矢視断面における部分拡大図（ｂ）である。図７は本発明にかかる履物用中敷であって、別の第２層部の分割層を示す平面図（ａ）と、その側面図（ｂ）である。
【００２２】
図１（ａ）に示すように、本実施例の履物用中敷Ａは第１層部Ｂと第２層部Ｃとに分離できるように形成されているもので、さらに第２層部Ｃは２層（分割層Ｄと分割層Ｅ）に分離可能となっている。
【００２３】
第１層部Ｂは、図２（ａ）・（ｂ）に示すように上面に足裏のツボを押圧するための半球状の突起Ｂ１が設けられており、ウレタン樹脂・ゴム・ＥＶＡ（エチレン酢酸ビニル樹脂）等を用いて一体成形されたものである。そして、その上面の縁部には全周にわたってベルクロファスナのパイル側Ｂ２が取付けられており、反対側の底面の縁部全周にはフック側Ｂ３が取付けられている。上面部に設けられている突起Ｂ１は、足裏の拇指球付近にある６つのツボを一度に押圧できるような位置に設けられているが、その位置や数は、押圧するツボに合わせて適宜決めればよい。
【００２４】
第２層部Ｃは、ウレタン樹脂・ゴム・ＥＶＡ（エチレン酢酸ビニル樹脂）スポンジ・ラテックスフォーム等で形成されている、図３（ａ）・（ｂ）に示す分割層Ｄと、図４（ａ）・（ｂ）に示し天然皮革・合成皮革・ファブリック等で形成されている分割層Ｅとからなっている。
【００２５】
分割層Ｄは、第１層部Ｂの突起Ｂ１の高さと同程度の厚みで形成されており、各突起Ｂ１に対応する位置には、それらを嵌合可能な貫通穴Ｄ１がそれぞれ設けられている。そして、その上面の縁部全周にはベルクロファスナのパイル側Ｄ３が、底面の縁部全周にはフック側Ｄ３が取付けられている。
【００２６】
分割層Ｅは、突起Ｂ１高さの約半分の厚みに形成され、各突起Ｂ１に対応する位置に、突起Ｂ１を嵌合できる貫通穴Ｅ１がそれぞれ設けられており、底面の縁部全周にはベルクロファスナのフック側Ｅ２が取付けられている。なお、皮革の表面に抗菌剤を塗布したり抗菌処理を施した布材等を用いたりすれば、菌の繁殖を抑えることができ、分割層Ｅに消臭効果を持たせることもできる。
【００２７】
次に、本実施例の履物用中敷の使用状態について説明する。
【００２８】
１．足裏を刺激する必要がない場合
図５（ａ）に示すように、第１層部Ｂの上に分割層Ｄを重ね、さらに分割層Ｄの上に分割層Ｅを重ねる。第１層部Ｂの上に分割層Ｄを重ねると、図５（ｂ）に示すように第１層部Ｂの突起Ｂ１が分割層Ｄの貫通穴Ｄ１に嵌り込み、分割層Ｄの上面からその先端部が突出することなく隠れた状態となる。そして、分割層Ｄの上に分割層Ｅを重ねて置く。分割層Ｅは皮革等で形成しているので、外観を良くすることができる。
【００２９】
第１層部Ｂと分割層Ｄ、および分割層Ｄと分割層Ｅとは、それぞれの縁部にあるベルクロファスナを貼り合わせることで結合され、互いにズレないようになっている。
【００３０】
このような順番で重ね合わせた履物用中敷Ａを、履物内に敷いて使用すれば、使用者の足裏は第１層部Ｂの突起Ｂ１で押圧されることがない。したがって、使用者は足裏に刺激を受けずに歩行することがきるのである。
【００３１】
２．足裏を刺激する必要がある場合
図６（ａ）に示すように、第１層部Ｂの上に分割層Ｅを重ねて置く。分割層Ｅは、第１層部Ｂの突起Ｂ１高さの約半分の厚みで形成されているので、図６（ｂ）に示すように分割層Ｅの上面から突起Ｂ１の上半分程度が突出した状態となる。分割層Ｄは第１層部Ｂの下側に重ね合わせるようにする。
【００３２】
分割層Ｄと第１層部Ｂ、および第１層部Ｂと分割層Ｅとは各縁部に取付けられているベルクロファスナを貼り合わせることで結合され、互いにズレが生じないようようになっている。
【００３３】
このような順番で重ね合わせた履物用中敷Ａを、履物の中に敷いて使用すれば、突起Ｂ１によって足裏が押圧されるため、使用者は足裏のツボに刺激を受けながら歩行することができるのである。
【００３４】
なお、分割層Ｅの厚みを変えれば、足裏が受ける刺激の強さを変えることができる。つまり、分割層Ｅの厚みを厚くしたり薄くしたりすることにより、その上面からの突起Ｂ１の突出量を変化させることができるので、足裏を押圧する力を強めたり弱めたりすることができるのである。また、このような分割層Ｅをその厚みを変えるなどして複数設け、これらを組合せて第１層部Ｂの上に置くようにしても、刺激の強さを変えることができる。この場合、皮革等を用いて見映えの良さも考慮した１枚を除く他のものを、第１分割層Ｂや分割層Ｄと同じ材料で形成するようにしても良い。
【００３５】
次に、第２層部に、貫通穴の代わりに凹部が設けられているもの（第２層部Ｃ´）について説明する。第１層部Ｂについては、第２層部Ｃの場合と同じなので説明は省略する。
【００３６】
図１（ｂ）に示すように第２層部Ｃ´は、第１層部Ｂの突起Ｂ１高さを越えるような厚みで形成されており、分割層Ｄ´と分割層Ｅ´とに分割可能となっている。分割層Ｄ´は、第１層部Ｂの突起Ｂ１高さの約２倍の厚みで形成されており、その底面部には、図７（ａ）・（ｂ）に示すように各突起Ｂ１に対応した位置に、突起Ｂ１を嵌合可能な凹部Ｄ´１がそれぞれ形成されている。分割層Ｅ´は分割層Ｅと同じように形成されているので詳しい図示については省略する。
【００３７】
分割層Ｄ´および分割層Ｅ´はそれぞれ、分割層Ｄや分割層Ｅと同様の材料が用いられて形成されている。
【００３８】
第２層部Ｃ´を有する履物用中敷Ａ´の使用状態については、上述の第２層部Ｃの場合と同様で、第１層部Ｂに対して分割層Ｄ´や分割層Ｅ´の配置や分割層Ｅ´の厚みを変えたりすることで、使用者の足裏に刺激を与えたり与えなかったり、またその刺激の強弱を調節することができるのである。
【００３９】
以上、第２層部を分割した実施例について説明したが、第２層部を分割せず一体のもとしても用いることができる。即ち、第２層部を第１層部の突起高さ以上の厚みに形成するとともに、各突起に対応する位置に突起を嵌合可能な貫通穴をそれぞれ設けるか、若しくは各突起を嵌め込むことができる凹部をその底面部にそれぞれ設ける。
【００４０】
そうすれば、第１層部の上に第２層部を重ねることで、突起は第２層部に隠れれた状態となるので、履物を履いた使用者の足裏は突起による刺激を受けない。また、第２層部を第１層部の下に重ねるようにして使用すれば、第１層部の突起によって足裏が押圧され、使用者の足裏のツボが刺激されるのである。
【００４１】
本実施例では、第１層部の突起の高さを一律としているが、これに限ることなく押圧するツボによって変えたり、足裏面の凹凸によって高さを変えたりすることもできる。この場合には、第２層部の厚みの設定は、これらの突起のうち高さの最も高いものを考慮して行えばよい。また、各層の結合はベルクロファスナ以外にも、繰返し取付け・取外しが可能な両面テープ等を用いることもできる。
【００４２】
【発明の効果】
１）突起の刺激が不要な場合には、第１層部の上に第２層部を重ねた状態で履物内に敷いておけばよいので、別途保管等の手間もいらず、しかも刺激が必要になれば、第１層部と第２層部とを入替えるだけでよいため、使い勝手の良い履物用中敷とすることができる。しかも、履物自体には特別な加工等を施す必要がないので、別の履物にも使用できる汎用性を有したものとすることができる。
【００４３】
２）第１層部の上に重ねる第２層部の分割層の数を変えることで、足裏を押圧する力を変えることができる。したがって、刺激の強さの調節を簡単に行うことができる便利な履物用中敷とすることができる。
【図面の簡単な説明】
【図１】本発明にかかる実施例の履物用中敷を示す側面図（ａ）と、別の実施例の履物用中敷を示す側面図（ｂ）である。
【図２】本実施例の第１層部を示す平面図（ａ）と、その側面図（ｂ）である。
【図３】本実施例の第２層部の分割層を示す平面図（ａ）と、その側面図（ｂ）である。
【図４】本実施例にかかる第２層部の別の分割層を示す平面図（ａ）と、その側面図（ｂ）である。
【図５】本実施例の使用状態を説明する斜視図（ａ）と、（ａ）におけるｘ−ｘ矢視断面における部分拡大図（ｂ）である。
【図６】本実施例の別の使用状態を説明する斜視図（ａ）と、（ａ）におけるｙ−ｙ矢視断面における部分拡大図（ｂ）である
【図７】本発明にかかる履物用中敷であって、別の第２層部の分割層を示す平面図（ａ）と、その側面図（ｂ）である。
【符号の説明】
Ａ  履物用中敷
Ｂ  第１層部
Ｂ１  突起
Ｃ  第２層部
Ｄ  分割層
Ｄ１  貫通穴
Ｅ  分割層
Ｅ１  貫通穴
Ａ´  履物用中敷
Ｃ´  第２層部
Ｄ´１  凹部
【図１】
2004283404.tif 000003
【図２】
2004283404.tif 000004
【図３】
2004283404.tif 000005
【図４】
2004283404.tif 000006
【図５】
2004283404.tif 000007
【図６】
2004283404.tif 000008
【図７】
2004283404.tif 000009